(57)【特許請求の範囲】
【請求項１】
岸壁の近傍の海底に、下端において傾倒可能な棒体を設置し、該棒体に、岸壁との間のシール部材を取り付けると共に、浮沈式フェンスの端部を支持させたことを特徴とする、フェンス端部支持装置。
【請求項２】
上記棒体が、岸壁と平行な方向にのみ傾倒可能に海底に設置されていることを特徴とする、請求項１記載のフェンス端部支持装置。
【請求項３】
上記棒体が、内部空間を有し、該内部空間内を、空気と海水とを相互に置換できるようにしたことを特徴とする、請求項１又は２記載のフェンス端部支持装置。
【発明の詳細な説明】
【０００１】
【発明の属する技術分野】
本発明は、フェンス端部支持装置に関し、特に浮沈式フェンスの端部を、シール性良く岸壁近傍に支持するフェンス端部支持装置に関するものである。
【０００２】
【従来の技術】
海洋に設置されるフェンスには、原油等の流出、拡散を防止するオイルフェンスのように水面付近に浮遊させる状態で設置するフェンス、また工事現場の周囲に展張される汚濁水拡散防止フェンス、或いは発電所の冷却水取入口付近に展張されるクラゲ進入防止フェンスのように水面から海底にまで達する状態で設置するフェンスが存在する。
【０００３】
これらのいずれのフェンスも、岸壁に該フェンスを支持する場合には、岸壁と支持されるフェンス端部の間にも十分なシール性が必要とされる。即ち、岸壁と支持されるフェンス端部の間に隙間があれば、この隙間から原油或いは汚濁水が流出してしまい、またクラゲが進入する恐れがあるために、隙間なく岸壁にフェンス端部を支持する必要がある。
【０００４】
また、これらのフェンスの中には、その不使用時、或いは船舶の行路を確保するために、フェンス内の空気を給排気し、その体積を増減させて浮上及び沈下ができるようにした浮沈式フェンスが存在する。このような浮沈式フェンスの場合、該フェンスの端部を支持する部分においても、浮上及び沈下ができるようにすることが必要となる。
【０００５】
上記のようなことを考慮したフェンス端部の支持装置としては、従来、図６に示したような構造の装置が存在する。
この装置１００は、スリット１０１が形成されたパイプ１０２を、岸壁Ｇに鉛直方向に固定し、該パイプ１０２内に摺動自在に挿入されたスライダー１０３に、上記スリット１０１を介して浮沈式フェンスＦの端部を固定した構造の装置である。
【０００６】
かかる装置１００によれば、岸壁と支持されるフェンス端部の間のシール性が確保されると共に、フェンス端部を支持する部分においても、浮上及び沈下が可能な支持構造となる。
【０００７】
【発明が解決しようとする課題】
しかし、上記した装置１００にあっては、図７に示したようにフェンス端部の沈下が完全に成されるわけではなく、船舶の航行に支障が生じる場合がある。
またスライダー１０３が沈下時においても固定されていないため、波浪の影響によってスライダー１０３がパイプ１０２内において上下動し、台風等で波浪が激しい場合には、スライダー１０３の上下動も激しく起こり、装置１００が損傷を受けたり、またフェンスＦが破れたりする場合があった。
【０００８】
また、上記した装置１００にあっては、オイルフェンスのように水面付近に浮遊した状態で設置するフェンスにあっては、上記した課題はあるもののある程度良好に使用できるが、汚濁水拡散防止フェンス、或いはクラゲ進入防止フェンスのように水面から海底にまで達する状態で設置するフェンスにあっては、該フェンス端部を固定する上記スライダー１０３が多く又は長く必要となり、沈下時においては該スライダー１０３がパイプ１０２内において上下方向に並び、その上方に存在するスライダー１０３の位置は、沈下時においても相当高い位置と成ってしまうことから、上記した課題が大きく障害となり、このような水面から海底にまで達する状態で設置するフェンスの端部支持装置としては、不適切な装置であった。
【０００９】
本発明は、上述した従来から存在するフェンス端部の支持装置が有する課題に鑑み成されたものであって、その目的は、フェンス端部と岸壁との間のシール性が良好で、しかも支持したフェンス端部を完全に沈下させることのできるフェンス端部支持装置を提供することにある。
【００１０】
【課題を解決するための手段】
本発明は、上記した目的を達成するため、岸壁の近傍の海底に、下端において傾倒可能な棒体を設置し、該棒体に、岸壁との間のシール部材を取り付けると共に、浮沈式フェンスの端部を支持させたフェンス端部支持装置とした。
【００１１】
上記した本発明にかかるフェンス端部支持装置によれば、海底に設置された下端において傾倒可能な棒体にフェンス端部が支持されているため、フェンス端部を沈下させる場合には、該棒体を海底に横たわる状態で倒せば良く、その場合のフェンス端部の沈下状況は、海底に達する完全沈下となる。
また、上記した本発明にかかるフェンス端部支持装置においては、フェンス端部を支持する上記棒体には、岸壁との間のシール部材が取り付けられているため、シール性が良好なフェンス端部支持装置となる。
【００１２】
ここで、上記棒体は、岸壁と平行な方向にのみ傾倒可能に海底に設置されていることが好ましい。
これは、フェンス端部を支持する上記棒体が、岸壁と平行な方向以外、例えば垂直方向に傾倒可能に海底に設置されている場合には、該棒体に支持された浮上状態にあるフェンスが、潮の干満差或いは波浪等により上下動して棒体を引っ張り、該棒体が若干でも傾倒した場合には、岸壁と棒体との間の隙間は広がり、取り付けられたシール部材ではシールしきれないこととなることから、棒体が傾倒しないように上端を岸壁に固定する等の方策が必要となるが、棒体が岸壁と平行な方向にのみ傾倒可能であれば、棒体が傾倒しても岸壁との隙間は変わらないため、取り付けられたシール部材により常にシールされた状態が保て、棒体を、フェンスと同様に潮の干満差等に追随して傾倒させる使用方法を取れるために好ましい。
【００１３】
また、上記棒体は、内部空間を有し、該内部空間内を、空気と海水とを相互に置換できるようにすることが好ましい。
これは、このような構造の棒体にフェンス端部を支持させると、支持されたフェンスが浮上状態にある場合には、棒体の内部空間内を空気で満たし、該棒体も浮力の作用を受け易い状態としておけば、フェンスと同様に潮の干満差等に追随して容易に該棒体も傾倒することとなり、支持したフェンス端部のみが海面上に上がってしまう、或いは逆に沈み込んでしまうと言うことが無くなる。
また、支持したフェンス端部を沈下させたい場合には、棒体の内部空間内を海水で満たし、棒体の重量を重いものとすれば、棒体はその自重で傾倒し、フェンス端部を沈下させると共に、傾倒後においては、波浪等によって容易には動かないものとなるために好ましい。
【００１４】
【発明の実施の形態】
以下、上記した本発明にかかるフェンス端部支持装置の実施の形態を、図面を参照しながら詳細に説明する。
【００１５】
先ず、図１は、本発明にかかるフェンス端部支持装置１に、水面から海底にまで達する状態で設置する既知のクラゲ進入防止フェンスＦの端部を、支持させた状態を示した側面図である。
【００１６】
上記フェンス端部支持装置１は、岸壁Ｇの近傍の海底Ｓに埋設された基台２と、該基台２にヒンジ３を介して取り付けられた棒体４と、該棒体４に取り付けられた岸壁との間等の隙間をシールするシール部材５とから主に構成されている。
【００１７】
上記基台２は、図２に示したように、岸壁Ｇと平行に並べられた２個のコンクリート製のブロック６，６を、２本の鋼材７，７で連結した構造のもので、該基台２の岸壁Ｇ側よりの部分に、棒体４がヒンジ３を介して岸壁Ｇと平行な方向にのみ傾倒可能に取り付けられている。また、棒体４の傾倒方向のブロック６の端部には、クッションゴム８が取り付けれてている。
【００１８】
上記棒体４は、２本の角状パイプ９，９を、その上部、中央部、そして下部の３か所において連結パイプ１０1,１０2,１０3 によって各々連結した構造のもので、該棒体４の内部は、図４に示したように、角状パイプ９，９の上部に、密閉された空気室１１，１１が各々形成され、その下方の大部分の空間は、角状パイプ９，９を連結する上部の連結パイプ１０1 、及び下部の連結パイプ１０3 の各々に内装されたＴ型パイプ１２1,１２2 によって外部と連通され、海水と空気とが相互に置換できる浮力調整室１３，１３に形成されている。
【００１９】
ここで、上記した棒体４の内部の浮力調整室１３，１３内を空気で満たしたい場合には、上部のＴ型パイプ１２1 を介して圧縮空気を浮力調整室１３，１３内に送り込めば、海水は押し出される状態で下部のＴ型パイプ１２2 を介して外部に流出し、浮力調整室１３，１３内は空気で満たされる。逆に、浮力調整室１３，１３内を海水で満たしたい場合には、上部のＴ型パイプ１２1 を介して浮力調整室１３，１３内の空気を抜けば、海水は下部のＴ型パイプ１２2 を介して浮力調整室１３，１３内に流れ込み、浮力調整室１３，１３内は海水で満たされることとなる。
【００２０】
上記棒体４に取り付けるシール部材５は、岸壁Ｇと該棒体４との間の隙間を塞ぐシール部材５1 と、棒体４を構成する上記角状パイプ９，９の間を塞ぐシール部材５2 と、棒体４と基台２の間のヒンジ３部分を塞ぐシール部材５3 とから構成されている。
【００２１】
上記のように構成された本発明にかかるフェンス端部支持装置１に、浮沈式のクラゲ進入防止フェンスＦの端部を、図１に示したように、その全幅に渡って棒体４の側部に固定することにより支持されたフェンスＦを、図４に示した沈下状態から使用するにあたっては、先ずフェンスＦに圧縮空気を供給して浮上させると共に、フェンス端部支持装置１の棒体４の上記浮力調整室１３，１３内にも圧縮空気を供給し、棒体４を起立させる。
この際、棒体４の先端部には、上記したように密閉された空気室１１，１１が形成されているため、圧縮空気の供給と共に、棒体４はその先端部からスムーズに起立する。
【００２２】
展張状態にあるフェンスＦを支持する状態にある本発明にかかるフェンス端部支持装置１の棒体４は、上記したようにヒンジ３を介して岸壁Ｇと平行な方向にのみ傾倒可能に基台２に取り付けられていると共に、棒体４の浮力調整室１３，１３内は空気で満たされ、浮力の作用を受け易い状態となっているため、図５に示したように、該棒体４もフェンスＦと同様に潮の干満差等に追随して容易に傾倒し、支持したフェンスＦの端部のみが海面上に上がってしまったり、或いは逆に沈み込んでしまうと言うことが無くなり、しかも、棒体４と岸壁Ｇとの間の隙間は、棒体４に取り付けられた上記シール部材５1 によって常にシールされるため、シール性の高いフェンス端部の支持ができる。
【００２３】
なお、潮の干満差等に追随して傾倒する棒体４に取り付けられた上記シール部材５1 が摺接する範囲の岸壁Ｇの壁面に、ステンレス板等の平滑な板を取り付けておくことは、シール部材５1 によるシール性を向上させ、またシール部材５1 の磨耗量の低減できることから好ましい。また、展張状態にあるフェンスＦを支持する状態にある上記棒体４に働く引っ張り力を出来るだけ軽減するため、図２に示したようにフェンスＦの途中（例えば、岸壁Ｇから１０ｍ程度離れた位置）にアンカー取り部１４を設け、岸壁Ｇに固定することは好ましい。
【００２４】
展張状態にあるフェンスＦを沈下させる際においては、フェンスＦ内の空気を抜いてフェンスＦを沈下させると共に、フェンス端部支持装置１の棒体４の上記浮力調整室１３，１３内の空気も抜き、浮力調整室１３，１３内を海水で置換することにより重量を重くし、図４に示したように、棒体４をその自重で海底に横たわる状態で倒す。その場合のフェンス端部の沈下状況は、海底に達する完全沈下となる。また、傾倒後の棒体４は、その重量が重いために容易に動くことはなく、フェンス端部を安定した状態で海底において支持する。
【００２５】
以上、本発明の一実施の形態につき説明したが、本発明は既述の実施の形態に限定させず、本発明の技術的思想、即ち、浮沈式フェンスの端部を、傾倒可能な棒体に支持させ、そのフェンスの沈下時においては、該棒体を海底に横たわる状態で倒すことにより、フェンス端部を完全沈下させる思想の範囲内において種々の変形、及び変更が可能である。
【００２６】
例えば、上記実施の形態においては、本発明にかかるフェンス端部支持装置に支持させるフェンスとして、水面から海底にまで達する状態で設置するクラゲ進入防止フェンスを挙げたが、水面付近に浮遊させる状態で設置するオイルフェンスの端部支持装置としても、本発明の装置は利用できる。
また、棒体を傾倒可能に海底に設置する構造として、上記実施の形態においてはヒンジ３を用いたが、バネ或いはゴムのように可撓性を有する部材で棒体の下端を海底に埋設された基台に連結した構造としても良い。
さらに、上記実施の形態において示した基台２の構造、或いは棒体４の構造等は、一例を示したに過ぎず、何ら実施の形態の構造に限定されるものではなく、例えば、基台２を１個のコンクリートブロックで構成すること、また、棒体４を一本のパイプで構成すること等としても良い。
【００２７】
【発明の効果】
以上、説明した本発明にかかるフェンス端部支持装置によれば、海底に設置された下端において傾倒可能な棒体にフェンス端部が支持されているため、フェンス端部を沈下させる場合には、該棒体を海底に横たわる状態で倒せば良く、その場合のフェンス端部の沈下状況は、海底に達する完全沈下とすることができる。また、上記した本発明にかかるフェンス端部支持装置においては、フェンス端部を支持する上記棒体には、岸壁との間のシール部材が取り付けられているため、シール性が良好なフェンス端部支持装置となる。
【図面の簡単な説明】
【図１】本発明にかかるフェンス端部支持装置にクラゲ進入防止フェンスの端部を支持させた状態を示した側面図である。
【図２】本発明にかかるフェンス端部支持装置にクラゲ進入防止フェンスの端部を支持させた状態を示した平面図である。
【図３】本発明にかかるフェンス端部支持装置の棒体内部を示した断面図である。
【図４】本発明にかかるフェンス端部支持装置の傾倒（沈下）状態を示した正面図である。
【図５】本発明にかかるフェンス端部支持装置の起立状態を示した正面図である。
【図６】従来のフェンス端部支持装置にオイルフェンスの端部を支持させた状態を示した斜視図である。
【図７】従来のフェンス端部支持装置にオイルフェンスの端部を支持させ、オイルフェンス沈下させた状態を示した側面図である。
【符号の説明】
１      フェンス端部支持装置
２      基台
３      ヒンジ
４      棒体
５      シール部材
６      ブロック
７      鋼材
８      クッションゴム
９      角状パイプ
１０    連結パイプ
１１    空気室
１２    Ｔ型パイプ
１３    浮力調整室
１４    アンカー取り部
Ｆ      フェンス
Ｇ      岸壁
Ｓ      海底
【図１】
0003752346.tif 000002
【図２】
0003752346.tif 000003
【図３】
0003752346.tif 000004
【図４】
0003752346.tif 000005
【図５】
0003752346.tif 000006
【図６】
0003752346.tif 000007
【図７】
0003752346.tif 000008